(57)【要約】【目的】ダイヤルを有する機器において、より優れたクリック操作感が得られるダイヤルを提供する。【構成】操作ダイヤル１ａとクリックカム２はダイヤル軸１ｂにより結合しており、ダイヤルを有する機器の筐体３に開けられた軸孔によって回転自在に軸支されている。該筐体３内部に球状接触子４が弾性体５により該クリックカム板２の作用面に対しダイヤル軸１ｂに略垂直方向に弾性力を与えられる様該筐体３に支持構造を設け、ダイヤル１ａの回転に伴い該クリックカム板２が回転した際、クリックカムのそれぞれのカム作用角度形状に沿って滑らかに接触子が略往復直線運動する様に構成されている。【選択図】　　　　図１
2004085845.tif 000002
【特許請求の範囲】
【請求項１】
ダイヤルを有する機器の内で特にダイヤルの外周部分を指の腹で片側から操作するダイヤル装置において、該ダイヤル装置のクリックトルクを正回転と逆回転で異なるトルクに設定する設定手段を設けたことを特徴とするダイヤル装置。
【請求項２】
クリックトルクを正回転と逆回転で異なるトルクに設定する設定手段は弾性部材とカムを組み合わせたものであることを特徴とする請求項１のダイヤル装置。
【発明の詳細な説明】
【０００１】
【発明の属する技術分野】
本発明は、小型で特に片手で操作する携帯電話やカメラ等の機器に関する物であり、特にカメラのグリップ上部に人差し指の腹を使い機能の切換操作や調整操作をするよう配置されたダイヤル装置の操作感触の向上に関するものである。
【０００２】
【従来の技術】
従来から例えば、カメラの撮影のための各種情報を設定したり機能を切り替えるためにダイヤル状の設定部材を用いていた。小型カメラ等においては、機能を切り替える方式として王冠状の形態をした指一本で擦るように回転させるダイヤル装置が実用化されている。
【０００３】
これ以外にも他に小型機器などににおいては機能を切り替える方式としてその殆どを本体の中に収め僅かに円弧部を本体外に露出し指一本で擦る様に回転させるダイヤル装置が実用化されている。
【０００４】
他に突出した操作部を持つレバー型のダイヤル装置等の形態があるが、指の腹で回転軸に対し片側から回転させる形式のダイヤルは指を曲げる時と伸ばす時の力加減が異なるためクリックが固く感じたり、勢いがついて目的の位置を越る等の不具合があり敏速で正確な操作に支障をきたすことが多々有った。
【０００５】
【発明が解決しようとする課題】
図７は本発明を適用しようとするダイヤル装置を有するカメラの操作状態を示す説明図である。ダイヤルＡは各種モードを設定するモードダイヤル、ダイヤルＢはシャッター速度優先時に使用するシャッターダイヤル、ダイヤルＣは各モードにおける設定値を変更する設定ダイヤルである。この場合、ダイヤルＢは親指で、ダイヤルＣは人差し指でダイヤルを操作して撮影を行う。従来のカメラでは回転方向によるクリックの強さが等しかったために指１本での操作の際に回転方向によって指に感じる操作トルクに違和感があり、また、回し損ないによる誤操作の原因となることもあった。
【０００６】
【課題を解決するための手段】
上記問題を解決するため、本発明においては弾性力を与えられた１個以上の接触子と、クリックを発生する回転軸中心に少なくとも２個以上点対称に配置された正回転とその逆回転で別々の傾斜角を持ち異なる負荷作用をするカム要素を用いて正回転と逆回転を異なるクリック作用が得られる様にそれぞれの回転方向に対し別々にカム特性を設定することを特徴とし、回転方向別にそれぞれのクリック負荷を変えることで指１本でダイヤルを操作した際に、感覚的に操作を行えるダイヤル装置を提供するものである。
【０００７】
【発明の実施の形態】
本発明のダイヤル装置においては、例えば正回転で作用するカムの傾きを大きくすることでクリックを強く設定し、その逆回転で作用するカムの傾きを小さくすることでクリックを弱く設定する。これにより、一本指によって力に余裕が有り回転制御し易い回転方向を正回転とし、他方を逆回転となるように設定することでダイヤル装置のクリックトルクの違和感を払拭すると同時に操作の正確性を向上させる。
【０００８】
【実施例】
以下に図面を参照にして本発明を適用した実施例を説明する。
【０００９】
図１は本発明の実施形態を示す断面図及び要部平面図である。図において操作ダイヤル１ａとクリックカム２はダイヤル軸１ｂにより結合しており、ダイヤルを有する機器の筐体３に開けられた軸孔によって回転自在に軸支されている。該筐体３内部に図中では球状で表した球状接触子４が図中では圧縮コイルバネで表した弾性体５により該クリックカム板２の作用面に対しダイヤル軸１ｂに略垂直方向に弾性力を与えられる様該筐体３に支持構造を設け、ダイヤル１ａの回転に伴い該クリックカム板２が回転した際カムの図２に表されたＰ，Ｑそれぞれのカム作用角度形状に沿って滑らかに接触子が略往復直線運動する様に構成されている。
【００１０】
図２は図１のＸ部の拡大図であるが本発明のダイヤル装置の構造についてもう少し詳しく説明する。
【００１１】
図においてカム面６、カム面７は回転軸中心を通る軸に対し。それぞれ異なる角度Ｐ及びＱを持ち、この一対のカムがダイヤルの回転角範囲或は全周囲に配される。
【００１２】
この機構により例えば正回転で作用するカムの傾きを大きくすることでクリックを強く設定し、その逆回転で作用するカムの傾きを小さくすることでクリックを弱く設定したとき、一本指によって力に余裕が有り回転制御し易い回転方向を正回転とし、他方を逆回転となるように設定することでダイヤル装置のクリックトルクの違和感を払拭すると同時に操作の正確性を向上させることができる。
【００１３】
図３は回転中心に対し放射状に穴を開けカムとする本発明の別の実施形態である。
【００１４】
操作ダイヤル８ａとその内部に固設されたカムプレート９ａとダイヤル軸８ｂを軸支し球状接触子１１とそれに弾性力を与える図中では圧縮コイルバネで表した弾性体１２をダイヤル軸８ｂと平行にガイドするための縦穴１０ｂを少なくとも一つ以上有する機器筐体１０ａとで構成されている。その中で特に該カムプレート９ａに開けられたクリック穴９ｂが従来形状のクリック穴（図５における９ｃ）では回転方向に対して対称であったが、クリック穴（図４における９ｂ）では回転方向に対して非対称とし球状接触子１１への該カムプレート９ａの穴端面の進行方向が直角意外の角度で接することにより該球状接触子１１の乗り上げ角度Ｒ、ＳがＲ≠Ｓとなる（図中ではＲ＞Ｓ）となるようにすることで、例えば正回転で作用するカムの傾きを大きくすることでクリックを強く設定できる。その逆回転で作用するカムの傾きを小さくすることでクリックを弱く設定したとき、一本指によって力に余裕が有り回転制御し易い回転方向を正回転とし、他方を逆回転となるように設定することでダイヤル装置のクリックトルクの違和感を払拭すると同時に操作の正確性を向上させることができる。
【００１５】
図６は王冠状のカムを使用した本発明の別の実施形態である。
【００１６】
操作ダイヤル１３ａとその内部に円環状に一体に成型されたカム部１３ｂがダイヤル軸１３ｃにより機器筐体１５ａに開けられた軸穴により軸支され、筐体表面に設けられた２点以上のボス１５ｂに位置決めされたクリックスプリング板１４が該カム部１３ｂに摺動自在、かつ弾性的に当接している。該カム部１３ｂは回転方向に対して非対称になるように、それぞれ異なる角度Ｕ及びＴが設定されているため、この機構は、例えば正回転で作用するカムの傾きを大きくすることでクリックを強く設定し、その逆回転で作用するカムの傾きを小さくすることでクリックを弱く設定したとき、一本指によって力に余裕が有り、回転制御し易い回転方向を正回転とし、他方を逆回転となるように設定することでダイヤル装置のクリックトルクの違和感を払拭すると同時に操作の正確性を向上させることができる。
【００１７】
【発明の効果】
上記の通り、本発明のダイヤル装置を適用した機器においては、１本指でダイヤルが正確に回せるようになり操作の信頼性が向上する。また本発明はダイヤル軸のスラスト或はラジアル方向への移動を二次入力機能としているダイヤルにも使用でき、またダイヤルの外周の殆どが搭載する機器の内部に隠されている形式や突出した操作部を持つレバー型のダイヤル装置であっても良い。
【図面の簡単な説明】
【図１】本発明の実施形態を示す断面図及び要部平面図である。
【図２】図１のＸ部の拡大図である。
【図３】本発明の別の実施形態である操作ダイヤルの断裁斜視図である。。
【図４】図３のカムプレートのクリック穴部を示す平面図である。
【図５】図３のカムプレートの従来例を示すクリック穴部の平面図である。
【図６】王冠状のカムを使用した本発明の別の実施形態である。
【図７】ダイヤル装置を有するカメラの操作状態を示す説明図である。
【符号の説明】
１ａ．操作ダイヤル
１ｂ．ダイヤル軸
２　．クリックカム
３　．筐体
４　．球状接触子
５　．圧縮コイルバネ
６　．カム面
７　．カム面
８ａ．操作ダイヤル
８ｂ．ダイヤル軸
９ａ．カムプレート
９ｂ．クリック穴
９ｃ．クリック穴
１０ａ．筐体
１０ｂ．縦穴
１１．球状接触子
１２．弾性体
１３ａ．操作ダイヤル
１３ｂ．カム部
１３ｃ．ダイヤル軸
１４．クリックスプリング板
１５ａ．筐体
１５ｂ．ボス
【図１】
2004085845.tif 000003
【図２】
2004085845.tif 000004
【図３】
2004085845.tif 000005
【図４】
2004085845.tif 000006
【図５】
2004085845.tif 000007
【図６】
2004085845.tif 000008
【図７】
2004085845.tif 000009